(57)【要約】【課題】排水口への取り付けが容易で、且つ、排水口がつまり難いドレンキャップを提供することを目的としている。【解決手段】ドレンキャップ１は、排水口２１を通水可能に覆うキャップ本体２と、キャップ本体２に片持ちされた複数の板ばね部材３と、を備えている。複数のばね部材３は、固定端から自由端側に向かうに従って互いの間隔が広がるように折れ曲がる第一折り曲げ部３ａと、第一折り曲げ部から固定端に向かうに従って互いの間隔が狭まるように折れ曲がる第二折り曲げ部３ｂと、を有している。【選択図】図２
2015055140.tif 000002
【特許請求の範囲】
【請求項１】
排水口を通水可能に覆うキャップ本体と、
前記キャップ本体に片持ちされた複数の板ばね部材と、を備えたドレンキャップであって、
前記複数の板ばね部材は、固定端から自由端側に向かうに従って互いの間隔が広がるように折れ曲がる第一折り曲げ部と、前記第一折り曲げ部から固定端に向かうに従って互いの間隔が狭まるように折れ曲がる第二折り曲げ部と、を有したことを特徴とするドレンキャップ。
【発明の詳細な説明】
【技術分野】
【０００１】
本発明は、建築物の排水口に取り付けられるドレンキャップに関する。
【背景技術】
【０００２】
ビルやマンション等の建築物の屋上や各階のベランダには、雨水を排水する排水口（ドレン）が設けられているのが一般的である。この種の排水口には、雨水に随伴される落ち葉、小枝、紙、又は、ビニール等といった固形物の侵入防止、及び、排水口が剥き出しになることによる危険性の回避、美観の保持等といった観点からドレンキャップが取り付けられている。
【０００３】
特許文献１に開示される従来のドレンキャップを、図５を参照しながら説明する。図５（Ａ）は、従来のドレンキャップ１０１を示す平面図である。図５（Ｂ）は、従来のドレンキャップ１０１が排水口１２１に取り付けられた様子を示す断面図である。
【０００４】
ドレンキャップ１０１は、排水口１２１を通水可能に覆うキャップ本体１０２を備えている。このキャップ本体１０２は、図に示す様なドーム形で、雨水を通すための開口１０６が複数形成されている。そして、キャップ本体１０２は、内部中央に芯棒部１０５を有し、芯棒部１０５に二枚の板ばね１０３がビス１０７で固定されている。この板ばね１０３は、長さが排水口１２１の径よりも十分に長くなっており、二枚の板ばね１０３が十字になるように厚み方向に重ね合されて固定されている。
【０００５】
図６を参照しながら、従来のドレンキャップ１０１の取り付け方法を説明する。図６は、従来のドレンキャップ１０１を排水口１２１に取り付ける様子を示す図である。このドレンキャップ１０１を取り付けるときは、作業員が二枚の板ばね１０３を撓ませて二枚の板ばね１０３の端の間隔を排水口１２１の直径よりも狭めて排水口１２１に板ばね１０３を挿入する。そして、ドレンキャップ１０１は、作業員の手が板ばね１０３から放されると、板ばね１０３が自身の弾性力によって広がって排水口１２１の内周壁に当接する。これによって、ドレンキャップ１０１は、排水口１２１に固定される。
【先行技術文献】
【特許文献】
【０００６】
【特許文献１】特開２００８−１９６３３号公報
【発明の概要】
【発明が解決しようとする課題】
【０００７】
しかしながら、従来のドレンキャップ１０１は、排水口１２１に取り付けるために板ばね１０３を排水口１２１の径よりも小さく撓ませて排水口１２１に挿入する必要があり、取り付け性について改善の余地を残していた。
【０００８】
また、従来のドレンキャップ１０１は、十字に交差させた二枚の板ばね１０３を排水口１２１に挿入する構成のため、排水口１２１を塞いでしまう部分が多く、雨水に随伴される落ち葉等が板ばね１０３にひっかかり、そのまま堆積すると排水口１２１がつまってしまうおそれがあった。
【０００９】
また、従来のドレンキャップ１０１は、十字に交差させた二枚の板ばね１０３を撓ませた状態で排水口１２１に挿入する構成のため、ドレンキャップ１０１を排水口１２１から取り外す際に、二枚の板ばね１０３が勢いよく復元し、作業員が二枚の板ばね１０３の跳ね返りを受けるおそれがあった。
【００１０】
そこで、本発明は、排水口への取り付けが容易で、排水口がつまり難く、排水口から取り外す際に作業員が板ばね部材の跳ね返りを受けるおそれがないドレンキャップを提供することを目的としている。
【課題を解決するための手段】
【００１１】
本発明は、排水口を通水可能に覆うキャップ本体と、前記キャップ本体に片持ちされた複数の板ばね部材と、を備えたドレンキャップに関する。前記複数の板ばね部材は、固定端から自由端側に向かうに従って互いの間隔が広がるように折れ曲がる第一折り曲げ部と、前記第一折り曲げ部から固定端に向かうに従って互いの間隔が狭まるように折れ曲がる第二折り曲げ部と、を有したことを特徴としている。
【発明の効果】
【００１２】
本発明のドレンキャップによれば、排水口に取り付けが容易で、排水口がつまり難い。また、本発明のドレンキャップによれば、排水口から取り外す際に、作業員が板ばね部材の跳ね返りを受けるおそれがない。
【図面の簡単な説明】
【００１３】
【図１】本発明のドレンキャップを右斜め下方から視た斜視図である。
【図２】本発明のドレンキャップを排水口に取り付ける前の様子を示す断面図である。
【図３】（Ａ）は、本発明のドレンキャップが排水口に取り付けられた様子を示す断面図であり、（Ｂ）は、（Ａ）のＩＩＩＢ−ＩＩＩＢ矢視図である。
【図４】（Ａ）は、本発明の他の実施例である中継用ドレンキャップを右斜め下方から視た斜視図であり、（Ｂ）は、本発明のその他の実施例である薄型ドレンキャップを右斜め下方から視た斜視図である。
【図５】（Ａ）は、従来のドレンキャップを示す平面図であり、（Ｂ）は、従来のドレンキャップが排水口に取り付けられた様子を示す断面図である。
【図６】従来のドレンキャップを排水口に取り付ける様子を示す図である。
【発明を実施するための形態】
【００１４】
以下、本発明の実施をするための形態の例（以下、実施例と呼ぶ）を図１〜図３を参照しながら説明する。図１は、本発明のドレンキャップ１を右斜め下方から視た斜視図である。図２は、本発明のドレンキャップ１を排水口２１に取り付ける前の様子を示す断面図である。ドレンキャップ１は、キャップ本体２と、キャップ本体２に片持ち固定された複数の板ばね部材３と、を備えている。
【００１５】
キャップ本体２は、全体形状がハット形であり中心軸ＣＬを対称軸とする三回対称である。キャップ本体２は、鍔状のフランジ４と、板ばね部材３を固定する板ばね固定部５と、フランジ４を除く全体に渡って複数形成される開口６と、を有している。フランジ４は、底側の面をドレンキャップ１の底面と称する。また、板ばね固定部５は、キャップ本体２に三箇所、等間隔に形成されている。
【００１６】
キャップ本体２は、例えば、アルミダイカストによって成形される。このキャップ本体２は、ドレンキャップ１が排水口２１に取り付けられると、排水口２１を通水可能に覆う部分となる。
【００１７】
板ばね部材３は、ステンレス鋼であり折り曲げ加工によって第一折り曲げ部３ａと、第二折り曲げ部３ｂと、が施されている。ここで、一端（片持ち固定された際の固定端）側に第一折り曲げ部３ａが形成され、他端（片持ち固定された際の自由端）側に第二折り曲げ部３ｂが形成される。以下、板ばね部材３のうち、固定端から第一折り曲げ部３ａまでを調整部１１、第一折り曲げ部３ａから第二折り曲げ部３ｂまでを接触部１２、第二折り曲げ部３ｂから自由端までを案内部１３と呼ぶ。
【００１８】
板ばね部材３は、キャップ本体２の板ばね固定部５に固定されると、調整部１１がキャップ本体２の内方、すなわちドレンキャップ１の底面に沿うように中心軸ＣＬに向かって延び、先ず、第一折り曲げ部３ａで折り曲げられて接触部１２がキャップ本体２の底から離れる方向、且つ、中心軸ＣＬから離れる方向へ延び、次に、第二折り曲げ部３ｂで折り曲げられて案内部１３がキャップ本体２の底から離れる方向、且つ、中心軸ＣＬへ近づく方向へ延びる。
【００１９】
この板ばね部材３は、キャップ本体２に対して等間隔に三個固定される。そうすると、複数の板ばね部材３は、第一折り曲げ部３ａが固定端から自由端側に向かうに従って隣り合う互いの間隔が広がるよう折り曲がり、第二折り曲げ部３ｂが第一折り曲げ部３ａから固定端に向かうに従って隣り合う互いの間隔が狭まるように折り曲げている。ここで、隣り合う板ばね部材３の第二折り曲げ部３ｂにおける間隔を距離Ｌとし、隣り合う板ばね部材３の自由端における間隔を距離ｌとする。
【００２０】
板ばね部材３の調整部１１は、取り付けられる排水口２１の径Ｄによって長さが調整される。すなわち、板ばね部材３の調整部１１の長さは、ドレンキャップ１が排水口２１に取り付けられた際に板ばね部材３の接触部１２が排水口２１の内周壁に面接触するような長さに調整される。
【００２１】
また、第一折り曲げ部３ａは、距離Ｌが排水口２１の径Ｄよりも大きくなるように折り曲げられ、第二折り曲げ部３ｂは、距離ｌが排水口２１の径Ｄよりも小さくなるように折り曲げられる。
【００２２】
次に、図２、図３を参照しながら、本発明のドレンキャップ１を排水口２１に対して取り付ける様子を説明する。図３（Ａ）は、本発明のドレンキャップ１が排水口２１に取り付けられた様子を示す断面図である。図３（Ｂ）は、図３（Ａ）のＩＩＩＢ−ＩＩＩＢ矢視図である。
【００２３】
作業員は、キャップ本体２を把持し、図２に示す様に先ず板ばね部材３の案内部１３を排水口２１に接触させる。そして、その状態でキャップ本体２を下へ押し下げる。そうすると、板ばね部材３は、案内部１３が排水口２１を通る際に互いに近づくように撓められる。そして、そのまま、キャップ本体２を更に押し下げると、図３（Ａ）、（Ｂ）の状態になって、板ばね部材３の接触部１２が排水口２１の内周壁に面接触する。
【００２４】
本発明のドレンキャップ１によれば、複数の板ばね部材３は、固定端から自由端側に向かうに従って互いの間隔が広がるよう折れ曲がる第一折り曲げ部３ａと、第一折り曲げ部から固定端に向かうに従って互いの間隔が狭まるように折れ曲がる第二折り曲げ部３ｂと、を有している。このため、従来のドレンキャップ１０１のように作業員が板ばね１０３を手で撓ませて排水口２１に挿入する必要がなく、従来のドレンキャップ１０１と比較して排水口２１に容易に取り付けることができる。また、予め折り曲げられているので取り外しの際に、板ばね部材３の跳ね返りのおそれが少ない。
【００２５】
また、本発明のドレンキャップ１によれば、従来のドレンキャップ１０１のように交差された板ばね部材３が排水口２１の内部に挿入される構成でないため、従来のドレンキャップ１０１と比較して排水口２１がつまり難い。
【００２６】
なお、本発明のドレンキャップ１は、上述の実施例にのみ限定されるものではない。例えば、キャップ本体２について、例えば、屋上で用いられるハット型を例示して説明したがこれに限定されるものではない。図４（Ａ）で示す様に、キャップ本体２は、ベランダで用いられる中継用のものや、図４（Ｂ）で示す様に、ベランダで用いられる薄型のものでも良い。また、本発明のドレンキャップは、本発明の要旨を逸脱しない範囲内において、種々変更できる。
【符号の説明】
【００２７】
１  ドレンキャップ
２  キャップ本体
３  板ばね部材
３ａ  第一折り曲げ部
３ｂ  第二折り曲げ部
２１  排水口
【図１】
2015055140.tif 000003
【図２】
2015055140.tif 000004
【図３】
2015055140.tif 000005
【図４】
2015055140.tif 000006
【図５】
2015055140.tif 000007
【図６】
2015055140.tif 000008